(57)【要約】【課題】目標とする角度を素早く描くことができる分度器を提供すること。【解決手段】９０°角線２に正確に沿って０°角線１を越えたところまで延びる壁面４を有する溝５を形成する。更に０°角線１から９０°角線に向かって９０°から０°まで順次減少してゆく角度表示目盛６を備える。【選択図】図１
2016130001.tif 000002
【特許請求の範囲】
【請求項１】
０°角線、９０°角線、及び角度表示目盛を有する分度器において、前記９０°角線に正確に沿って０°角線を越えたところまで延びる壁面を有する溝を形成し、更に前記０°角線から９０°角線に向かって９０°から０°まで順次減少してゆく角度表示目盛を備えた分度器。
【発明の詳細な説明】
【技術分野】
【０００１】本発明は目標とする角度を素早く描ける様にした分度器に関する。
【背景技術】
【０００２】一般に分度器を用いて目標とする角度を描く場合は、先ず紙上に基礎となる基礎線を描いてこの線上に印を付け、次にこの部分に分度器の中心を合わせて分度器の外周に刻まれた角度表示目盛で目標とする角度を読んで、それを紙上に印を付ける。そして両者の印を直線定規を用いて直線で結んで目標の角度を描くのであるが、かなり面倒でもっと簡単にできる分度器が求められていた。
【発明の開示】
【発明が解決しようとする課題】
【０００３】本発明の目的は上記の様に目標とする角度を簡単に素早く描く事のできる分度器を提供するところにある。
【課題を解決する為の手段】
本発明は上記目的を達成する為、０°角線、９０°角線、及び角度表示目盛を有する分度器において、９０°角線に正確に沿って０°角線を越えたところまで延びる壁面を有する溝を形成し、更に０°角線から９０°角線に向かって９０°から０°まで順次減少してゆく角度表示目盛を備える様にした。この場合、０°角線から９０°角線に向かって９０°から１８０°まで順次増加してゆく角度表示目盛を備える事ができる。
【発明の効果】
【０００５】本発明によれば従来の様に基礎線上に付けた紙上の印と、分度器の外周に刻まれた角度表示目盛に合わせて付けた紙上の印とを直線定規を用いて直線で結ぶ操作が不要になるので、目標とする角度を簡単に素早く描く事ができる。
【発明を実施する為の形態】
【０００６】図１（イ）は本発明による分度器を示し、０°角線１、９０°角線２、及び外周に角度表示目盛３を有しており、全体的に透明なプラスチック板で作られている。
本発明による分度器Ａは９０°角線２に正確に沿って０°角線１を超えたところまで延びる壁面４を有する溝５が形成され、更に０°角線１から９０°角線２に向かって９０°から０°まで順次減少してゆく角度表示目盛６（９０°、８０°、７０°……０°と１０°毎と、各１０°間に１°毎の角度表示目盛）が備えられている。
この場合、溝５の壁面４は９０°角線２に一致するわけであるから、壁面４に黒く色を塗って９０°角線と一致して見える様にするか、又は図１（ロ）の如く（断面図）壁面４に０．２ｍｍ位の勾配を持たせ、この０．２ｍｍ位の差の部分４′に９０°角線を備えて（この９０°角線は０°角線の反対側の面に備えられている）、９０°角線が一本の線となる様に工夫されている。次に本発明の使い方を説明すると（目標とする角度を例えば６０°として説明）、図２（イ）の如く紙上に基礎となる基磁線を描いてこの線上に印を付け、次に６０°は鋭角で溝５が右側に回した位置にあるから、予め図２（ロ）の如く右側に回した状態にして、分度器Ａの中心（０°角線と９０°角線との交点）と前記基礎線上の印とを合わせると共に角度表示目盛６の６０°の目盛と紙上の基礎線とを一致させる。一致したら、溝５の壁面４（９０°角線２に一致）に沿って鉛筆などで線を引けば、図２（ハ）の如く目標とする６０°の角度を描く事ができる（予め分度器Ａを右側に回しておくのは紙上の基礎線と合うのは右側の角度表示目盛６のみとする為で、左側の角度表示目盛６と間違いを起させない為である）。紙上の基礎線と分度器Ａの０°角線とが一致する位置から３０°右に回転した位置は溝５の壁面４も３０°回転した位置であって、これは６０°であり、この時、角度表示目盛６の６０°は紙上の基礎線と一致するから、図２（ハ）で得られる角度は正しく６０°である。次に目標とする角度を１２０°として説明すると、図２（ニ）の如く紙上に基礎線と印とを付け、１２０°は鈍角で図２（ホ）の如く溝５が左側に回した位置にあるから、予めその様にしておいて、分度器Ａの中心と紙上の基磁線上の印とを合わせると共に角度表示目盛７に１２０°の目盛りと紙上の基礎線とを一致させる。一致したら溝５の壁面４に沿って鉛筆などで線を引けば、図２（ヘ）の如く１２０°の角度を描く事ができる。この場合は、角度表示目盛６には１２０°はないから、角度表示目盛７と６とを間違える事はない。従来でも０°の角度を描くには先ず紙上に図２（イ）の如く基礎線と印とを描き、この印と基礎線に分度器を図２（ト）の如く正しく合わせ（分度器の中心と０°角線を各々正しく合わせる）、ここで分度器の６０°の角度表示目盛を見て紙上にその印を付け、そして図２（チ）の如く両方の印を直線定規で結ぶ必要があり、本発明では分度器の６０°の角度表示目盛を見て紙上にその印を付ける操作と、図２（チ）の操作とが不要になり、素早く６０°の角度を描く事ができる。尚、図１において通常描く角度は鋭角が多いから、角度表示目盛６のみでも用が足りる（同７を省略しても良い）。
【０００７】一般にコンパスで円を描く場合、図３（イ）の如く長い鉛筆を用いるとＨの部分が邪魔になってうまく回し柄９を回せない（円を描けない）。筆記用具８がボールペンの場合もボールペンは長い為、同様にうまく円を描けない（ボールペンで円を描いて簡単に消えない様にしておきたい事がよくある）。
この欠点を解消するには、図３（ロ）の如くコンパスの回し柄９に嵌め込んで回し柄９を実質的に長くする機能を有する延長サック１０を使用するのが良い。即ち、図３（ハ）の如くコンパスの回し柄に延長サック１０の穴を嵌め込んで（差し込んで）使えば、筆記用具８が長くても邪魔にならずに円が描けるのである。コンパスの回し柄９はコンパスにより太さは各種あり、これに合わせる為には図３（ニ）の如く延長サック１０の穴をテーパー状にするか、又は図３（ホ）の如くスリット１１を形成し、穴の径が弾性により拡大する構成とする事が考えられる（ゴムの様な弾力性のある材料で作っても良い）。図３（ヘ）はコンパスと上記延長サックとをセットとしたもので、両者をセットとして箱に入れて販売すれば上記の通り大きな効用があるので、消費者に注目される。
【０００８】一般にボールペンを胸ポケットに収納する場合、図４（イ）の如くペン先を支持又は収納するペン先支持・収納体１２（円錐状のもの）に収納してクリップ部１３を胸ポケットに差し込んで持ち歩くが、インクが重力作用により浸み出してペン先支持・収納体１２に付着し、そのインクにより手やノート、衣服が汚れる欠点がある（特に新興国製のもの）。これを防ぐには図４（ロ）のインク汚れ防止サックＢを使用するのが良い。このインク汚れ防止サックＢは回動軸１５を中心に回動する一対の挟み片１４，１４′を有し、各々の挟み片１４，１４′はねじりコイルバネの様な弾性体により各々の接触部１６が互いに接触する様に力を与えられている構成となっている（洗濯バサミの様な構成であるが、各々の挟み片１４，１４′はボールペンを挟み易い様に半円形状の断面をしている）。これを使う時は図４（ハ）の如くペン先の方にインク汚れ防止サックＢを挟んで（挟み片１４，１４′の一端を摘むと開く）、そのクリップ部１７を胸ポケットに差し込む。こうするとペン先は上方を向いているから、インクが浸み出す事はない。ボールペンを使う時はインク汚れ防止サックＢを取り外すが、これは胸ポケットに差し込んで収納しておくと邪魔にならない。インクの出が悪くなったら、通常の様にボールペンに元々備えられているクリップ部１３を胸ポケットに差し込んで収納しておけば、ペン先は下を向くからインクの出は回復する（インクが浸み出てくる事があってもペン先にはインク汚れ防止サックが被せられているから、インク汚れは未然に防止される）。
【０００９】一般に製図においては図５（イ）の如く２直線が交わる角部は半径Ｒで丸くするが、これはコンパスで行なうと半径Ｒが小さい為、やり難い上、多数あるとかなり時間がかかる。この欠点を解消するには図５（ロ）の如く角丸定規Ｃを用いるのが良い。即ち、図５（ロ）においてこの角丸定規Ｃは１／４円弧を有する角丸部１８を半径を変えて多数備えており、コンパクトにする為、角丸部１８を図示の如く一周する如く（円の囲りを一周する如く）備えるか、又は図５（ニ）の様に複数列（図では２列）各列を横に並べて備える様に構成してある。
１９は１／４円弧を示す半径表示であり、各数字は各々の角丸部の半径を示す。
使い方は図５（イ）のＲが例えば５ｍｍの時は５の数字の角丸部を使い、その１／４円弧を示す半径表示１９を図５（イ）の２直線の交叉部に全体が正方形に見える様に当てて（こうすると正確さが増す）角丸部を鉛筆、ボールペンなどでなぞれば良い。２０は角丸指示具で、特定の半径の角丸部を多数使用する時は、それを目印として指定して他と間違いを起さない様にする為のものである（必要不可欠なものではない）。この角丸指示具２０は中心軸を中心として回転可能なもので、適当な摩擦力を与えて固定しておく事ができる。
図５（ニ）における角丸指示具はスライド式とするのが良い。尚、図５（ロ）の角丸定規は半径が１ｍｍから１５ｍｍまで対応できるが、外周の内側にも角丸部を形成すれば（図５（ハ）参照）半径１６ｍｍから２０ｍｍまで対応できる。
【００１０】一般に図６（イ）の如く互いに直交する直線を引くには三角定規を用いたり、図６（ロ）の如く直線上に印をつけ、この直線と印とに分度器を正しく合わせて９０°の目盛の外側に印を付け、両者の印を直線的に結ぶなどの方法があったが（コンパスによる方法もある）、いずれもかなり面倒であった。この欠点を解消するには図６（ハ）の如く直線２１とこれに直交する壁面２２を有する溝２３から成る直交定規を用いるか、又は図６（ニ）の如く直線部２４を有する主溝２５に対して直角を為す壁面２６を有する副溝２７が前記主溝２５の両側に分離してある様にし、かつ前記各々の壁面２６が同一直線上にある様に構成した直交定規を用いるのが良い。図６（ハ）の直交定規の使い方は紙上に描かれた直線に直線２１を合わして、鉛筆などで壁面２２をなぞれば直交線ができる。図６（ニ）の直交線定規の使い方は紙の上で先ず直線部２４を鉛筆でなぞり、次に壁面２６を鉛筆などでなぞれば良い。
但し、壁面２６をなぞってできた直線は互いに繋がっていないが、これは図６（ヘ）の円定規を使う時に重宝するものである。即ち、図６（ヘ）の円定規を使う場合、図６（ホ）の如く円の中心を指定して定められた位置に円を描く事を要求される事があるが、円定規に備えられた直交線定規部２９（図６（ニ）と同じものを備える）にある十字部２８を図６（ホ）の円の中心に合わせて、図示の如く直交線を引くのである。図６（ヘ）の円定規には１つ１つの円に直交線３０が引かれているから、所定の半径の円の直交線３０を円６（ホ）の直交線と合わせて円を描けば、定められた位置に円を描く事ができる。もちろん直交線定規部２９は図６（ハ）のものを備えても良い。
円定規の他に楕円定規にも１つ１つの楕円には直交線が引かれているから、同様の直交線定規部２９を備える事ができる。図６（ハ），（ニ）の直交線直規部はこの他、図６（ト）の如く三角定規に備えても良い。
【００１１】一般に円を描くには図６（ヘ）の様な円定規を使うか、又はコンパスで描く。
前者による方法は所定の半径を持つ円は素早く描けるが、大きい円は円定規が大きくなり過ぎて円定規に備えるのは困難である。
後者の方法は大きい円も描けるが、円の半径を１回１回物差しで測らなければならず、面倒である。又、円をボールペンで描きたい場合、コンパスでは鉛筆といちいち交換する手間がかかる上、ボールペンは長く、邪魔になってコンパスが回せない。以上の欠点を解消するには図７（イ）に示す簡易コンパスを使うのが良い。即ち、図７（イ）及びその側面図を示す図７（ロ）の如く回転板３１は回転中心となる針３２を有し、回転板３１には鉛筆、ボールペンなどの筆記用具の芯先を挿入する挿入穴３３が針３２の近傍位置から外側に向かって多数形成されている。挿入穴３３を半径１ｍｍ間隔とすると穴径が小さ過ぎて筆記用具の芯先を入れるのが困難なので、挿入穴３３の群は半径が２ｍｍ間隔の偶数半径とし、挿入穴３４の群は半径が２ｍｍ間隔の奇数半径として、両者により１ｍｍ間隔の半径で円が描ける様になっている。但し、直径が１ｍｍから６ｍｍ（半径が０．５〜３ｍｍ）位までは小さいので円を描き難く、従って円穴３５を使って円を描く様にする。穴３３（３４）は丸穴でも良いが、図では三角形状になっており、この他、正方形状、菱形状などでも良い。尚、穴３３は図７（ハ）の様にらせん状に外側に延びてゆく様に形成する事も考えられる。図７（イ）を側方から見た図７（ロ）の様に回転板３１の外周は高さが０．５ｍｍ位の環状の突起となっており（必要不可欠なものではないが）、回転板３１全体が円を描こうとする紙に接触するよりは摩擦抵抗が少なくなる。この場合、摩擦係数の小さい材料を使用するのも効果的である（ポリプロピレンなど）。次に使い方を説明すると先ず描くべき円の中心に針３２を突き刺し、数字は円の半径を示しているから（直径を表示しても良いが）、所定の半径を数字で選び（偶数なら挿入穴３３の群から選び、奇数半径なら挿入穴３４の群より選ぶ）、その挿入穴に筆記用具の芯先を挿入して軽く回転板３１の上に指を置き（針３２の抜けを防ぐ為、軽く押える）、筆記用具で円を描く様に回せば円が描ける。
上記において軽く回転板３１の上に指を置く場合は、環状突起３６より内側の部分Ｐに置くのが良い。円を描く時、針３２の抜けを防ぐ為、回転板３１の上に軽く指を置くが、図７（ニ），及びその側面図を示した図７（ホ）の如く回転板３１の外側にある固定体３８に連結するアーム３７により針３２を支えて固定体３８を指で軽く押圧して針３２の抜けを防ぐ様にしても良い。この場合、針３２は回転板３１に固着しているが、図７（ヘ）の如くアーム３７に固着する針３２の回りを回転板３１が回転する構成としても良い。以上の如く、素早く円を描け、コンパクトになる。又、ボールペンで円を描く場合、コンパスでは鉛筆と交換する手間がかかるが、それが不要となる。
【００１２】一般に書籍には表紙に被せるカバーと帯とが付いているが（カバーのみのものもあるが）、何回か手に取って読んでいる内に図８（イ）の如くカバー４０や帯４１の端の方が丸くなってめくれ上り、本を閉じた時にこれが折れ曲って折り目ができる不都合を生じる。これは室内の温度、湿度、手に取った時の体温・水分の伝達などが原因と考えられる。これをなくすには図８（ロ）の如く糊面を有する貼止め紙４２で本の表紙３９とカバー４０と帯４１とを共に貼り付けておくのが良い。貼止め紙４２は図８（ハ）の如くロール状のもの、短柵状のもの、特殊な形のものなどがあるが、いずれも貼り付ける糊面を有する。本の表紙３９、カバー４０、帯４１を一緒に貼り付けるには図８（ニ）の様な道具、即ち支持具４３を用いる。この支持具４３は一端部に貼付けても再びきれいに剥せる糊面４４を有している（糊面４４は粘着剤に高分子ポリマーなどを配合した接着・剥離自在の付箋紙の様な糊面）。
使い方は先ず図８（ホ）の如く書籍にカバーと帯とをきちんと正しく掛け、予め図８（ヘ）の如く図８（ハ）の貼止め紙４２の糊面の裏面（糊面のない方）に支持具４３の糊面４４を貼り付けて、準備しておく（貼止め紙４２で剥離紙を有するものは、これを剥いでおく）。次に図８（ト）の様に一方の手で書籍本体をθだけ傾けて持ちながら（θ＝３０°〜６０°位）、図８（ヘ）の貼止紙４２を有する支持具４３を表紙３９とカバー４０と帯４１とが共に貼付けられる位置にカバー４０の端に平行に置き、正しい位置に定まったら（支点４３′を支点に支持具４３を左右前後に動かし、正しい位置に定める）、貼止め紙４２を押圧して表紙３９、カバー４０、帯４０を共に貼付け、最後に支持具４３を取り去る。この場合、書籍の本体をθだけ傾けながら貼止め紙４２を貼るのはθが９０°位や０°位であると、書籍の表紙に対してカバーが大きくずれて突張ったり、反ったりして表紙の開閉がスムーズにできないからである。もう一方の表紙、カバー、帯の方も同様に貼止め紙４２と支持具４３を用いて貼付ければ、これで終了である。
尚、貼止め紙４２の糊面は糊面４４と同じく接着・剥離自在のものが良く、失敗したら、利して貼り直す事ができる。
【図面の簡単な説明】
【００１３】
【図１】本発明による分度器を示す図。
【図２】分度器の使用法を従来と対比して示す図。
【図３】コンパスの回し柄を延長する延長サックを示す図。
【図４】インク汚れ防止サックを示す図。
【図５】角丸定規を示す図。
【図６】直交線定規を示す図。
【図７】簡易コンパスを示す図。
【図８】書籍の表紙にカバー、帯を固定する方法、及びそれに用いる道具の図。
【符号の説明】１は０°角線、２は９０°角線、３は角度表示目盛、４は壁面、５は溝、６・７は角度表示目盛、Ａは分度器、８は筆記用具、９は回し柄、１０は延長サック、１１はスリット、１２はペン先支持、収納体、１３・１７はクリップ部、１４・１４′は挟み片、１５は回動軸、１６は接触部、１８は角丸部、１９は半径表示、２０は角丸指示具、Ｃ・Ｃ′は角丸定規、２１は直線、２２は壁面、２３は溝、２４は直線部、２５は主溝、２６は壁面、２７は副溝、２８は十字部、２９は直交線定規部、３０は直交線、３１は回転板、３２は針、３３は挿入穴、３４は挿入空、３５は円穴、３６は環状突起、３７はアーム、３８は固定体、３９は表紙、４０はカバー、４１は帯、４２は貼止め紙、４３は支持具、４４は糊面、４３′は支点である。
【図１】
2016130001.tif 000003
【図２】
2016130001.tif 000004
【図３】
2016130001.tif 000005
【図４】
2016130001.tif 000006
【図５】
2016130001.tif 000007
【図６】
2016130001.tif 000008
【図７】
2016130001.tif 000009
【図８】
2016130001.tif 000010